(57)【特許請求の範囲】
【請求項１】
電子機器に装着され、この装着により電子機器に設けた一方の極の電源端子に接続される接続端子部を備えた電源供給用の電源ユニットの端子間短絡防止構造において、
前記接続端子部を、装着が行われた際に前記電源端子が入り込む凹部と、前記凹部の底に露呈して設けられ、前記電源端子に接触して電気的接続を行う導電性部材と、前記電源端子が接触可能な前記導電性部材の面積を減少させるために、前記凹部のほぼ中央に、前記電源端子の挿入方向に対向するように突出して設けられている非導電性の突起部とで構成したことを特徴とする電源ユニットの端子間短絡防止構造。
【請求項２】
前記接続端子部は、前記電子機器の装着方向と平行な軸を挟んで対向する２側面に設けられていることを特徴とする請求項１記載の端子間短絡防止構造。
【請求項３】
前記凹部を構成する内壁のうちの前記電源端子が挿入される側の内壁を開口して、前記凹部の開口を二分割するように前記突起部を設けるとともに、前記電源端子を一対の弾性自在な接触子とし、前記一対の接触子を二分割された前記凹部の開口にそれぞれ挿入するようにしたことを特徴とする請求項１又は２記載の端子間短絡防止構造。
【発明の詳細な説明】
【０００１】
【産業上の利用分野】
本発明は、電源ユニットの端子間短絡防止構造に関し、さらに詳しくは、ビデオテープレコーダー付きテレビカメラや電子スチルカメラ等とこれらに用いられる充電器等との電子機器に装着される電源アダプタとバッテリーパック等との電源ユニットの端子間短絡防止構造に関するものである。
【０００２】
【従来の技術】
従来、携帯型のビデオテープレコーダー付きテレビカメラ（以下、「ビデオカメラ」と称す。）では、バッテリーパック、或いは電源アダプタのカプラーを装着することにより電源供給を行っている。バッテリーパックには、予め充電器で充電して使用する蓄電池（二次電池）を内蔵したタイプの他に、内部に乾電池（一次電池）を装填して使用する乾電池装填タイプが用意されている。
【０００３】
バッテリーパックは、メーカーごとにサイズの異なる種類がある。これらのバッテリーパックの殆どは、接続し易いように一対の端子が外部に露呈されている。このため、バッテリーパックをハンドバッグ等に入れて携帯した際に、端子間に他の金属、例えばネックレスやクリップ等が接触して短絡する恐れがある。このような不具合を未然に防止するために、実公平４−５２６号公報では、バッテリーパックには一対の接続端子を被覆する開閉自在なカバー部材を設け、バッテリーパックに接続する相手側、例えば充電器或いはビデオカメラ等に設けた開放部材がバッテリーパックのカバーを開いて接続端子を露呈してこれらに電源端子を接続する。そしてバッテリーパックを取り外せばカバー部材が閉じてバッテリーパックの接続端子が被覆されるため、端子間短絡の防止が確実に行えるようになっている。
【０００４】
また、実開平５−９４９５３号公報記載の発明では、バッテリーパックの装着方向に沿って一対の長い穴を設け、これらの長い穴の内部に導電性端子を配置している。
【０００５】
【発明が解決しようとする課題】
しかしながら、前述した２つの公報記載の発明では、バッテリーパックにカバー部材を設けると部品点数が多くなりコストアップにつながる。さらにカバー部材や穴を設けるようにすると、これらがバッテリーパックの厚み内で形成することが困難なため、蓄電池を収納するための内部スペースが減少し、内蔵される蓄電池のサイズが小さくなる。蓄電池を小さくすると容量のアップが図れず、逆に容量のアップを図るとバッテリーパック自体の形状を大きくしなければならず、したがってコンパクト化が図れない恐れがある。特にバッテリーパックに内蔵する蓄電池としては、Ｎｉ−Ｃｄ電池に比べて約１．８倍のも容量をもつニッケル−水素蓄電池等が開発されており、容量を維持、又は増やしてコンパクト化を達成することが望まれている。
【０００６】
本発明は、上記問題を解決するためになされたものであり、内部スペースを有効に利用でき、しかも端子間短絡を確実に防止するようにした電源ユニットの端子間短絡防止構造をローコストで提供することを目的とする。
【０００７】
【課題を解決するための手段】
そこで、請求項１記載の発明では、電源ユニットの接続端子部を、装着が行われた際に相手側の電源端子が入り込む凹部と、前記凹部の底に露呈して設けられ、電源端子の接触子に接触して電気的接続を行う導電性部材と、前記電源端子が接触可能な前記導電性部材の面積を減少させるために、前記凹部のほぼ中央に、前記電源端子の挿入方向に対向するように突出して設けられている非導電性の突起部とで構成したものである。これによれば、前記凹部のほぼ中央に前記電源端子の挿入方向に対向するように突出して突起部を設けているから、例えば、ネックレス等が入り込んできても、突起部が内部への入り込みを阻止するとともに、導電性部材の外部露呈面積が少ないため入り込み難くなる。なお、凹部の深さとしては、電源ユニットの内壁厚み以下とすることで、内部スペースを有効に利用することが可能となる。
【０００８】
請求項２記載の発明では、接続端子を電子機器の装着方向と平行な軸を挟んで対向する２面にそれぞれ設けたから、例えばネックレス等によっても接触し難くなる。ところで、突起部を設けることで凹部の開口面積が少なくなって、逆に相手側の電源端子による接続がし難くなる。そこで、請求項３記載の発明では、前記凹部を構成する内壁のうちの前記電源端子が挿入される側の内壁を開口して、前記凹部の開口を二分割するように前記突起部を設けるとともに、前記電源端子を一対の弾性自在な接触子とし、前記一対の接触子を二分割された前記凹部の開口にそれぞれ挿入するようにしたものである。
【０００９】
【実施例】
ビデオカメラには、電源供給用にバッテリーパック、電源アダプタ、ＡＣチャージャー、及びＤＣチャージャー等が用意されている。本実施例では、バッテリーパックや電源アダプタ等を電源ユニットと称し、またビデオカメラやＡＣチャージャー又はＤＣチャージャー等を電子機器と称しており、電源ユニットに設けられた外部接続用の接続端子間の短絡を防止するようにしている。
【００１０】
図１に示すバッテリーパック１１は、蓄電池１２、例えばリチュウムイオン電池（二次電池）と、これを内蔵した電池ケース１３とから構成されており、電池ケース１３は上ケース１３ａと下ケース１３ｂとの２部品で構成されている。そして、下ケース１３ｂの底部にはビデオカメラ１４、ＡＣチャージャー１５、及びＤＣチャージャーに装着可能な取り付け面１６が形成されている。
【００１１】
ビデオカメラ１４には、バッテリーパック１１、又は電源アダプタ１７のカプラ１８を装着するための受け面１９が背面外部に設けられている。
【００１２】
ＡＣチャージャー１５は、電源トランス等を有する１次回路と整流回路等を有する２次回路とを内蔵し、１次回路に接続される電源プラグ２０から商用電源を取り入れて、上面に設けられた受け面２１を介して装着されるバッテリーパック１１をＤＣ電源で充電する。このＡＣチャージャー１５の外部には、２次回路に接続されたコネクター受け２２が露呈して設けられている。なお、ＤＣチャージャーは、電源プラグ２０の代わりに車のシガレット用ソケットに接続されるプラグを有し、カーバッテリーから得たＤＣ電源（１２Ｖ／２４Ｖ）を内蔵した直流変圧回路で変圧してバッテリーパック１１を充電するとともに、電源アダプタ１７を用いればカーバッテリーからビデオカメラ１４に直接に電源を供給することできるものであり、これに設けられる受け面とコネクター受けとはＡＣチャージャーと同じ構造であるため、ここでは詳しい説明を省略する。
【００１３】
電源アダプタ１７は、ＡＣチャージャー１５又はＤＣチャージャーとビデオカメラ１４との間に接続して使用されるのであり、前記コネクター受け２２に接続されるコネクター２３と、ビデオカメラ１４に接続されるカプラー１８とを有している。このカプラー１８には、ビデオカメラ１４の受け面１９にだけ装着可能な取り付け面２４が形成されている。
【００１４】
下ケース１３ｂには、図２に示すように、幅方向の両側面で、且つ長手方向の先端側に一対の接続端子部２５，２６がそれぞれ設けられている。一対の接続端子部２５，２６は、装着方向に沿った軸を挟んで対向する２面に設けられているから、短絡し難い利点がある。
【００１５】
また、取り付け面１６には、幅方向の両側面に４つの凹溝２７〜３０が、さらに長手方向の後端側の中央に補助溝３１がそれぞれ形成されている。４つの凹溝２７〜３０は、略Ｌ字型形状となっている。
【００１６】
ビデオカメラ１４の受け面１９には、バッテリーパック１１の幅方向の長さと略同じか或いは僅かに広い間隔分だけ隔てた位置に一対の装着規制壁２９，３３がそれぞれ突設されている。装着規制壁３３は、バッテリーパック１１の長手方向の長さよりも長く形成されており、バッテリーパック１１の長手方向に沿ったスライド移動を許容し、幅方向に沿った移動を規制している。
【００１７】
装着規制壁３３の対峙する内面には、４つの凸部３４〜３７がそれぞれ形成されている。凸部３４〜３７は逆Ｌ字型形状で突出して形成されており、前記４つの凹溝２７〜３０に各々係合してバッテリーパック１１の長手方向のうち同図に示す矢印Ｂ方向へのスライド移動を規制する。
【００１８】
バッテリーパック１１の装着は、長手方向にずらした位置で取り付け面１６を装着規制壁３３の間の受け面１９に押し付け（矢印Ａ）、矢印Ｂ方向に向けてスライド移動させる。このスライド移動は、４つの凸部３４〜３７が４つの凹溝２７〜３０に係合した時点で規制される。なお、取り外す際には、逆の操作を行う。また、符号３８は、受け面１９の一部を切り欠いて形成した弾性自在な補助爪であり、バッテリーパック１１を装着した際に補助溝３１に係合して矢印Ｂで示した挿入方向とは逆の方向にバッテリーパック１１が移動するのを補助的に規制する。
【００１９】
装着規制壁３３には、図３及び図４に示すように、バッテリーパック１１が装着された際に、一対の接続端子部２５，２６に対峙する一対の電源端子３９，４０が設けられている。一対の電源端子３９，４０の間には、カバー部材４１が設けられている。カバー部材４１は、断面略Ｔ字型形状となっており、両端下部の隙間から電源端子３９，４０をそれぞれ露呈する露呈位置と両端下部の隙間内に被覆する被覆位置との間で移動自在となっており、付勢手段８０、例えばバネや板バネ等により被覆位置に向けて常に付勢されている。カバー部材４１の移動は、バッテリーパック１１の挿入方向（矢印Ｂ方向）に沿って行われる。カバー部材４１は、矢印Ｂ方向に向けて挿入されるバッテリーパック１１の電池ケース１３の先端面に当接して被覆位置から露呈位置に移動する。また、取り外された際には、バネ８０に付勢されて電源端子３９，４０を被覆するため、電源端子３９，４０の腐食や変形を防止することができる。
【００２０】
接続端子部２６は、図５ないし図７に示すように、下ケース１３ｂを３山の櫛歯形状に切り欠いて形成した２つの凹部２６ａ，２６ｂと、これらの凹部２６ａ，２６ｂの底に配設された導電性部材３２とから構成されており、各凹部２６ａ，２６ｂは装着方向側が外部に向けて開放されている。各凹部２６ａ，２６ｂは、３山の櫛歯形状の真ん中の山となる突起部１３ｃによって二分割された長方形状となっており、長手方向が装着方向Ｂに沿うように形成されている。
【００２１】
下ケース１３ｂは、非導電性の材料、例えば、絶縁性のエンジニアリングプラスチック材料で形成されている。導電性部材３２は、一端が二股形状となっており、二股形状のそれぞれが凹部２６ａ，２６ｂから外部に露呈されるように下ケース１３ｂに組み込まれる。これらの導電性部材３２の他端は、電池ケース１３の内部で蓄電池の電極に接続されている。突起部１３ｃは、下ケース１３ｂの輪郭形状と同じか、或いは僅かに凹んだ高さで形成されており、装着時に開放側から凹部２６ａ，２６ｂに入り込む電源端子３９，４０を引っかけないように装着方向の先端両角が丸形状に面取りされている。なお、反対側の接続端子部２５も接続端子部２６と同じ機能であるため、接続端子部２５の各部材を図５に括弧付き符号で示すことで詳しい説明は省略する。
【００２２】
電源端子３９は、図８に示すように、二分割された凹部２５ａ，２５ｂにそれぞれ入り込む２つの接触子３９ａ，３９ｂを備えている。これらの２つの接触子３９ａ，３９ｂは、互いに弾性自在となるように、二股形状に切り欠いた導電性の材料３９ｃの先端にそれぞれカシメ等によって固定されている。反対側の電源端子４０も電源端子３９と同じ機能であり、電源端子４０の各部材を図８に括弧付き符号で示すことで詳しい説明は省略する。なお、電源端子４０は、図８に示す形状とは逆向きになる。これらの電源端子３９，４０は、一対の接続端子部２５，２６の導電性部材３２に確実に接触するように、図７に示す内間隔Ｌ１が導電性部材３２の外間隔Ｌ２よりも狭くなるように配置されている。
【００２３】
カプラー１８の取り付け面２４は、図９に示すように、バッテリーパック１１の取り付け面１６と同じサイズとなっており、これにもビデオカメラ１４の受け面１９に装着できるように、取り付け面１６に形成したと同じ機能である一対の接続端子部４２，４３、凹溝４４〜４７、及び補助溝４８が設けられており、ここでは詳しい説明を省略する。
【００２４】
ＡＣチャージャー１５の受け面２１は、図１０に示すように、ビデオカメラ１４の受け面１９と同じサイズとなっており、これにもバッテリーパック１１の取り付け面１６が装着できるように、受け面１９に形成したと同じ機能である一対の装着規制壁５１，５２、一対の電源端子５３，５４、凸部５５〜５８、補助爪５９、及びカバー部材６０が設けられており、ここでは詳しい説明を省略する。
【００２５】
上記構成の作用を説明する。バッテリーパック１１をビデオカメラ１４に装着する場合には、図１１に示すように、取り付け面１６を長手方向にずらした状態で装着規制壁３３の間の受け面１９に押し付ける（矢印Ａ）。これにより取り付け面１６に押されて補助爪３８が下方に向けて弾性変形する。
【００２６】
その後、バッテリーパック１１を、図１２に示す矢印Ｂ方向に向けてスライド移動させる。このスライド移動は、４つの凸部３４〜３７が４つの凹溝２７〜３０に係合した時点で規制される。このバッテリーパック１１のスライド移動操作によって、バッテリーパック１１とともにカバー部材４１がバネ８０の付勢に抗して露呈位置に移動され、接続端子部２５，２６の凹部２５ａ，２５ｂ，２６ａ，２６ｂの導電性部材３２に電源端子３９，４０の接触子３９ａ，３９ｂ，４０ａ，４０ｂが入り込んでそれぞれ接続されるとともに、装着完了後には補助爪３８が補助溝３１に入り込んでバッテリーパック１１が装着状態から脱落するのを防ぐ。
【００２７】
それぞれの凹部２５ａ，２５ｂに入り込む接触子３９ａ，３９ｂは互いに弾性自在となっているから、一方側の凹部２５ａ内で接触子３９ａが導電性部材３２に接触しなくても、他方側の凹部２５ｂ内で接触子３９ｂが導電性部材３２に接触していれば問題が生じないため、確実な接続が行える利点がある。
【００２８】
取り外す際には、図１２に示す矢印Ｂ方向とは逆の方向にバッテリーパック１１をスライド移動させる操作を行う。これにより、補助溝３１の移動方向後端縁で補助爪３８を押下するため、補助爪３８が下方向に向けて弾性変形し、その後は図１１に示す矢印Ａ方向とは逆の方向に引き抜くことで簡単に取り外すことができる。取り外した状態は、カバー部材４１がバネ８０の付勢により被覆位置に移動されるためビデオカメラ１４の電源端子３９，４０は指触等の防止が図られるとともに、バッテリーパック１１の接続端子部２５，２６には、突起部１３ｃ，１３ｄの作用によって導電性部材３２の外部露呈面積が少なくされているため、携帯時に他の金属、例えばネックレス等が接触し難い利点がある。
【００２９】
なお、電源アダプタ１７のカプラー１８をビデオカメラ１４に、またバッテリーパック１１をＡＣチャージャー１５にそれぞれ装着する場合も、前述したと同じ装着操作を行えばよい。これらの場合、例えば電源プラグ２０をコンセントに差し込んだ状態でＡＣチャージャー１５の電源端子５３，５４、又はＡＣチャージャー１５に接続した電源アダプタ１７のカプラー１８の接続端子部４２，４３を短絡させるとＡＣチャージャー１５の内部回路が破損する。しかしながら、本実施例では、カバー部材６０がバネ８０の付勢により被覆位置に移動されるためＡＣチャージャー１５の電源端子５３，５４は腐食及び変形等の防止が図られているとともに、カプラー１８の接続端子部４２，４３にも突起部の作用によって導電性部材の外部露呈面積が少なくされているため、他の金属、例えばネックレス等が接触し難い利点がある。
【００３０】
ところで、バッテリーパックには、乾電池を装填するタイプがある。この場合には、蓄電池内蔵型のバッテリーパック１１と同じ接続端子部とするのが望ましい。
【００３１】
上記実施例では、導電性部材の先端を二股形状としているが、本発明ではこれに限らず、単なる薄板形状とし、突起部１３ｃ，１３ｄの付けね部分の一部を削ってここに導電性部材３２の薄板部を挿入するようにしてもよい。この場合には、図１３及び図１４に示すように、下ケース１３ｂの内壁に凹部２６ａ，２６ｂに通じる切り欠き部８２を凹部２６ａ，２６ｂの長手方向の長さ以上で形成しておき、ここから導電性部材３２の先端を挿入するようにすればよい。これによれば、突起部１３ｃ，１３ｄによって導電性部材３２の先端が押さえられるため、導電性部材３２のめくれ上がり等が防止できる。
【００３２】
また、上記実施例のバッテリーパック１１では、装着操作のうちスライド移動操作が長手方向に沿って行うタイプとしているが、幅方向に沿って行うタイプのバッテリーパックでもこれの装着方向に沿った軸を挟んだ両側の位置に一対の接続端子部を設ければ同じ効果が得られる。また、接続端子部を設ける位置としては、装着方向に沿った軸を挟んだ両側に限定することなく、例えば、平面である取り付け面の中央に並置して設けるようにしてもよい。
【００３３】
この場合には、図１５に示すように、バッテリーパック９０の取り付け面９１に接続端子部９２，９３を装着方向Ｃに沿って並設する。接続端子部９２，９３は、装着方向に長手方向を合わせた長方形の凹部９４，９５と、これらの凹部９４，９５の底に配置された導電性部材９６，９７と、導電性部材９６，９７の露呈面積を小さくするために凹部９４，９５から外部に向けて突出して設けられた突起部９８，９９とから構成されている。
【００３４】
突起部９８，９９を設ける方法としては、図１６に示すように、予め突起部９８を一体に形成した蓋部材１００に、突起部９８を挿通するための穴１０１を先端に形成した導電性部材９６を組み込んでおき、下ケース１３ｂに形成された開口１０２を内側から塞ぐように蓋部材１００を爪係合で取り付けて構成された接続端子部としてもよい。なお、接続端子部９２の相手型となる電源端子１０４としては、同図に示すように装着方向に対して直交する方向に沿って並列したピン１０４ａ，１０４ｂを、突起部９８を挟んだ両側に露呈された導電性部材９６にそれぞれ接触させるようにするのが好適である。この場合には、装着操作のうち押し付け操作が行われた際に取り付け面９１に当接して退避し、また凹部９４に入り込んだ際にそれぞれのバネ１０５の付勢により突出する構造とするのが望ましい。これらのピン１０４ａ，１０４ｂは、それぞれのバネ１０５により取り付け面９１から突出する突出位置と退避する退避位置との間で互いに移動自在となっているから、何れか一方が接触しなくても他方が接触していれば問題はないため、接続適性の向上が図れる。なお、バネ１０５は導電性部材で形成されており、これらのバネ１０５を介して電源供給が行われる。
【００３５】
また、突起部を下ケース１３ｂとは別に設けた例としては、図１７に示すように、突起部１１０に一体に形成した突起部１１１を、導電性部材１１２の先端に形成した穴１１３に挿通し、穴１１３から露呈された突起部１１１をカシメにより固定するようにしてもよい。
【００３６】
上記実施例では、バッテリーパック１１がビデオカメラ１４の外部に装着される外付けタイプとされているが、ビデオカメラ１４の内部に内蔵する内蔵タイプのバッテリーパックでもよい。この場合には、バッテリーパックと同じ断面形状でビデオカメラのバッテリー装填室を形成しておくのが好ましい。これによれば、バッテリー装填室にバッテリーパックを長手方向から装填することで、接続端子部の導電性部材に電源端子が接続される。この場合には、バッテリー装填室内に設けられた電源端子が指触される恐れが少ないため、カバー部材等を省略することができる。
【００３７】
ところで、内蔵タイプのバッテリーパックを用いる場合には、カバー部材を被覆位置に付勢するバネによりバッテリーパックがバッテリー装填室から抜けるのを防ぐ抜け止め爪やバッテリー装填室の出入口を塞ぐ蓋が必要となる。抜け止め爪の場合には、ビデオカメラの外部に設けたバッテリー取外しレバー等を操作することに連動して退避位置に移動するようにしておけば、前記バネの付勢によりバッテリー装填室から外部に向けてバッテリーパックが付勢され、バッテリーパックの取り出しが容易に行えるとともに、バッテリー取外し機構が簡単となる利点がある。また、蓋の場合には、蓋を閉じ位置で保持する力を利用してバッテリーパックをバッテリー装填室内で装着状態で保持するようにしておけば、蓋を開いた際に自然にバッテリーパックが前記バネの付勢により外部に飛び出すため、バッテリーパックの取り出しが容易に行える。
【００３８】
上記実施例では、バッテリーパックやカプラー等の取り付け面の接続端子部に凹部から突出した突起部を設けているが、これに限定されることはなく、逆にビデオカメラや充電器等の電子機器に接続端子部を設け、バッテリーパックやカプラー等の電源ユニットに電源端子を設けるようにしてもよい。しかしながら、バッテリーパックに接触子を設けると、携帯時に接触子の折れ曲がりや破損等が生じる恐れがあるため、バッテリーパック側に電源端子を設けない方が無難である。また、本実施例では、バッテリーパックとカプラー（電源アダプタ）とのそれぞれの端子間短絡防止構造について記載しているため、本発明では電源ユニットの端子間短絡防止構造としている。
【００３９】
また、上記実施例では、ビデオカメラ等の電子機器について説明しているが、本発明ではこれに限らず、例えば電子スチルカメラ、携帯用電話器、携帯用ＦＡＸ、携帯用ワードプロセッサ、電子手帳、携帯用液晶テレビ、携帯用オーディオカセットデッキ、携帯用ＣＤプレーヤ、及び玩具等のバッテリーパックを用いる電子機器にも採用できることはいうまでもない。
【００４０】
【発明の効果】
以上、詳細に説明したように、請求項１記載の発明では、内部に導電性部材が設けられた凹部から非導電性の突起部が突設されているため、例えば、ネックレス等が入り込んできても突起部が内部への挿入を阻止するとともに、導電性部材の外部露呈面積が少ないため入り込み難く、したがって、確実に、且つ安価に短絡防止を図ることができる。
【００４１】
請求項２記載の発明では、接続端子部を対向する２側面にそれぞれ設けたから、短絡が行われる恐れが少なくなる利点がある。請求項３記載の発明では、突起部で開口を二分割にした２つの凹部の挿入方向側の内壁を外部に向けて開口し、二分割した開口から電源端子を構成する一対の接触子をそれぞれ入り込ませるようにしたから、相手側の電源端子の形状をそれほど複雑な形状にすることなく装着操作によって確実に接続することが可能となる。
【図面の簡単な説明】
【図１】ビデオカメラ、電源アダプタ、充電器、及びバッテリーパックの外観を示す斜視図である。
【図２】バッテリーパックの取り付け面とビデオカメラの受け面とを示す要部斜視図である。
【図３】ビデオカメラの受け面を示す縦断面図であり、内部機構を省略して示している。
【図４】ビデオカメラの受け面を示す横断面図であり、内部機構を省略して示している。
【図５】接続端子部の側面図である。
【図６】図５に示すＶ−Ｖ線沿って切断した断面図である。
【図７】電源端子の接触子と接続端子部ととの接続を概略的に示した説明図である。
【図８】電源端子の接触子の要部を示す斜視図である。
【図９】電源アダプタのカプラーに設けた取り付け面を示す斜視図である。
【図１０】ＡＣチャージャーの受け面を示す斜視図である。
【図１１】バッテリーパックをビデオカメラに装着している状態を示す要部横断面図であり、内部機構を省略している。
【図１２】バッテリーパックをビデオカメラに装着した状態を示す要部横断面図であり、内部機構を省略している。
【図１３】導電性部材の先端を平板形状にした実施例を示す要部縦断面図である。
【図１４】図１３に示すＸ−Ｘ線で切断した横縦断面図である。
【図１５】取り付け面に一対の接続端子部を並設したバッテリーパックの別の実施例を示す斜視図である。
【図１６】図１５に示した接続端子部をバッテリーパックの長手方向に沿って切断した要部断面図であり、相手側、例えばビデオカメラに装着した状態で示している。
【図１７】突起部を電源ケースとは別に設けた他の実施例を示す要部断面図である。
【符号の説明】
１１，９０  バッテリーパック
１３ｂ  下ケース
１３ｃ，１３ｄ，９８，９９，１１０  突起部
１４  ビデオカメラ
１５  ＡＣチャージャー
１６，２４  取り付け面
１７  電源アダプタ
１８  カプラー
１９，２１  受け面
２５，２６  接続端子部
２５ａ，２５ｂ，２６ａ，２６ｂ，９４，９５  凹部
３２，９６，９７  導電性部材
３９，４０  電源端子
３９ａ，３９ｂ，４０ａ，４０ｂ  接触子
４１，６０  カバー部材
【図１】
0003567002.tif 000002
【図２】
0003567002.tif 000003
【図３】
0003567002.tif 000004
【図４】
0003567002.tif 000005
【図５】
0003567002.tif 000006
【図６】
0003567002.tif 000007
【図７】
0003567002.tif 000008
【図８】
0003567002.tif 000009
【図９】
0003567002.tif 000010
【図１０】
0003567002.tif 000011
【図１１】
0003567002.tif 000012
【図１２】
0003567002.tif 000013
【図１３】
0003567002.tif 000014
【図１４】
0003567002.tif 000015
【図１５】
0003567002.tif 000016
【図１６】
0003567002.tif 000017
【図１７】
0003567002.tif 000018